(57)【特許請求の範囲】
【請求項１】
誘導加熱方式画像定着装置であって、
共振回路と、
前記共振回路を駆動する駆動回路と、
前記駆動回路を、前記装置の通常駆動であるモードＡと、前記駆動回路に流れる電流の大きさが制限されている装置異常検出用のモードＢにて駆動させる制御部と、
前記モードＢにおいて前記装置に異常がないか検出する検出部と、
切替部と、
を備え、
前記駆動回路が、前記モードＡ駆動を行う通常駆動回路と、検査駆動周波数での前記共振回路の駆動によって前記モードＢ駆動を行う検査駆動回路とを備え、
前記切替部は、前記共振回路に前記通常駆動回路と前記検査駆動回路の何れかを選択的に接続させ、
前記検出部は電力測定部であり、
前記制御部によって前記切替部を制御することにより、前記モードＢ駆動時において前記検査駆動回路を前記共振回路に接続させ、前記電力測定部から得られる測定値に基づく値が所定範囲内である場合に、前記検査駆動回路に替えて前記通常駆動回路を前記共振回路に接続して前記モードＡ駆動させ、
前記モードＢ駆動が、前記装置の立ち上げ時において実行される、誘導加熱方式画像定着装置。
【請求項２】
前記モードＢによる駆動時に前記検出部によって異常が検出されなかった場合に、前記モードＡによる通常駆動への移行を行う請求項１に記載の誘導加熱方式画像定着装置。
【請求項３】
前記検査駆動周波数が、共振周波数より高い周波数である、請求項１または請求項２に記載の誘導加熱方式画像定着装置。
【請求項４】
前記検査駆動回路による駆動時に、少なくも第１及び第２の異なる検査駆動周波数による駆動を行い、これら検査駆動周波数と、それぞれの検査駆動周波数における前記電力測定部からの測定値と、に基づいて電力−駆動周波数の関数における傾きを算出し、当該傾きに基づいて電力値と駆動周波数の間における関連特性を推定し、
前記傾きは、前記第１の検査駆動周波数における前記電力測定部からの第１の測定値と、前記第２の検査駆動周波数における該電力測定部からの第２の測定値を取得して、前記検査駆動周波数に対する前記電力測定部からの測定値の関係を表すグラフ上に、前記第１の測定値を第１の点として、前記第２の測定値を第２の点としてそれぞれプロットしたときの、それら２点を通る直線の傾きとされる、請求項３に記載の誘導加熱方式画像定着装置。
【請求項５】
前記モードＢ駆動が、プリントジョブ要求があった際に実行される、請求項１〜４のいずれかに記載の誘導加熱方式画像定着装置。
【請求項６】
設定駆動周波数とこれに対応する設定電力値とが格納されたテーブルを備え、
前記モードＡ駆動において、
前記制御部から前記駆動回路へ与えた駆動周波数と、前記電力測定部によって検出した電力値と、の対応関係が、前記テーブルの設定駆動周波数と、設定電力値と、の対応関係から所定以上相違している場合に、前記モードＡ駆動を停止させる請求項１又は請求項２に記載の誘導加熱方式画像定着装置。
【請求項７】
前記モードＢへの切り替えにより、前記モードＡ駆動を停止させる請求項６に記載の誘導加熱方式画像定着装置。
【請求項８】
誘導加熱方式画像定着装置であって、
共振回路と、
前記共振回路を駆動する駆動回路と、
前記駆動回路を、前記装置の通常駆動であるモードＡと、前記駆動回路に流れる電流の大きさが制限されている装置異常検出用のモードＢにて駆動させる制御部と、
前記モードＢにおいて前記装置に異常がないか検出する検出部と、
前記共振回路に流れる駆動電流の位相を検出する電流位相検出部と、
駆動電流の位相に基づく設定位相値と設定駆動周波数が対応付けられたテーブルと、
を備え、
前記モードＡ駆動において、前記制御部から前記駆動回路へ与えた駆動周波数と、前記電流位相検出部によって検出された駆動電流の位相に基づく値と、の対応関係が、前記テーブルの設定位相値と、設定駆動周波数と、の対応関係から所定以上相違している場合に、前記モードＡ駆動を停止させ、
前記モードＢ駆動が、前記装置の立ち上げ時において実行される、誘導加熱方式画像定着装置。
【請求項９】
前記モードＢによる駆動時に前記検出部によって異常が検出されなかった場合に、前記モードＡによる通常駆動への移行を行う請求項８に記載の誘導加熱方式画像定着装置。
【請求項１０】
前記モードＢへの切り替えにより、前記モードＡ駆動を停止させる請求項８または請求項９に記載の誘導加熱方式画像定着装置。
【請求項１１】
前記対応関係に相違があった場合に、当該相違に基づいて、前記テーブルの対応関係を補正するためのパラメータを算出する補正係数算出部を備える、請求項６に記載の誘導加熱方式画像定着装置。
【請求項１２】
前記駆動電流の位相の測定において、前記駆動電流を前記制御部のクロックに基づく周期で測定する、請求項８〜１０のいずれかに記載の誘導加熱方式画像定着装置。
【請求項１３】
前記検査駆動回路は、前記通常駆動回路に電源供給を行う電源ラインよりも電圧レベルが低い電源ラインから電源供給を受ける、請求項１に記載の誘導加熱方式画像定着装置。
【請求項１４】
前記通常駆動回路がスイッチング素子とゲートドライバを備え、前記検査駆動回路が発振回路を備える、請求項１に記載の誘導加熱方式画像定着装置。
【請求項１５】
共振回路と、前記共振回路を駆動周波数にて駆動する通常駆動回路と、前記共振回路を検査駆動周波数にて駆動する検査駆動回路と、電力測定部と、制御部と、記憶部と、を備える誘導加熱方式画像定着装置における前記制御部に、
装置の立ち上げ時において前記検査駆動回路を前記共振回路に接続させるステップと、
当該検査駆動回路による駆動時に、共振周波数より高い第１の駆動周波数による駆動を行い、前記電力測定部からの第１の測定値を取得し、及び、共振周波数より高い第２の駆動周波数による駆動を行い、前記電力測定部からの第２の測定値を取得するステップであって、前記検査駆動回路による駆動時には、該検査駆動回路に流れる電流の大きさが制限される、ステップと、
第１及び第２の駆動周波数、並びに第１及び第２の測定値に基づいて電力−駆動周波数の関数における傾きを算出するステップであって、前記傾きは、前記駆動周波数に対する前記電力測定部からの測定値の関係を表すグラフ上に、前記第１の測定値を第１の点として、前記第２の測定値を第２の点としてそれぞれプロットしたときの、それら２点を通る直線の傾きとされる、ステップと、
当該算出された傾きに基づいて測定値が所定範囲内であるか否かを判別するステップと、
前記傾きの値が前記所定範囲内である場合に、前記検査駆動回路に替えて前記通常駆動回路を前記共振回路に接続させるステップと、
を実行させる誘導加熱方式画像定着装置駆動プログラム。
【請求項１６】
共振回路と、前記共振回路を駆動周波数にて駆動する通常駆動回路と、前記共振回路を検査駆動周波数にて駆動する検査駆動回路と、電力測定部と、制御部と、記憶部と、を備える誘導加熱方式画像定着装置における前記制御部に、
装置の立ち上げ時において前記検査駆動回路を前記共振回路に接続させるステップと、
当該検査駆動回路による駆動時における前記電力測定部からの測定値を取得し、これが所定範囲外であるか否かを判別するステップであって、前記検査駆動回路による駆動時には、該検査駆動回路に流れる電流の大きさが制限される、ステップと、
当該取得した測定値が所定範囲内である場合に、前記検査駆動回路に替えて前記通常駆動回路を前記共振回路に接続させるステップと、
を実行させる誘導加熱方式画像定着装置駆動プログラムであって、
前記記憶部に、設定駆動周波数とこれに対応する設定電力値とが格納されたテーブルと、異常判断条件と、が記憶されており、
前記プログラムは、前記通常駆動回路を前記共振回路に接続させた駆動状態において、前記制御部に、
前記制御部から前記通常駆動回路へ与えた駆動周波数と、前記電力測定部によって検出した電力値と、を取得するステップと、
当該取得した駆動周波数と電力値との対応関係と、前記テーブルの設定駆動周波数と設定電力値との対応関係との間の相違が、前記異常判断条件に該当するか否かを判別するステップと、
前記異常判断条件に該当している場合に、前記通常駆動回路の駆動を停止させるステップと、を実行させることからなる、誘導加熱方式画像定着装置駆動プログラム。
【請求項１７】
共振回路と、前記共振回路を駆動周波数にて駆動する通常駆動回路と、前記共振回路を検査駆動周波数にて駆動する検査駆動回路と、電力測定部と、制御部と、記憶部と、を備える誘導加熱方式画像定着装置における前記制御部に、
装置の立ち上げ時において前記検査駆動回路を前記共振回路に接続させるステップと、
当該検査駆動回路による駆動時における前記電力測定部からの測定値を取得し、これが所定範囲外であるか否かを判別するステップであって、前記検査駆動回路による駆動時には、該検査駆動回路に流れる電流の大きさが制限される、ステップと、
当該取得した測定値が所定範囲内である場合に、前記検査駆動回路に替えて前記通常駆動回路を前記共振回路に接続させるステップと、
を実行させる誘導加熱方式画像定着装置駆動プログラムであって、
前記誘導加熱方式画像定着装置が、前記共振回路に流れる駆動電流の位相を検出する電流位相検出部を備え、前記記憶部に、駆動電流の位相に基づく設定位相値と設定駆動周波数が対応付けられたテーブルと、異常判断条件と、が記憶されており、
前記プログラムは、
前記通常駆動回路を前記共振回路に接続させた駆動状態において、前記制御部に、
前記制御部から前記通常駆動回路へ与えた駆動周波数と、前記電流位相検出部によって検出した駆動電流の位相と、を取得するステップと、
当該取得した駆動周波数と駆動電流の位相との対応関係と、前記テーブルの設定駆動周波数と設定位相値との対応関係の相違が、前記異常判断条件に該当するか否かを判別するステップと、
前記異常判断条件に該当している場合に、前記通常駆動回路の駆動を停止させるステップと、を実行させることからなる、誘導加熱方式画像定着装置駆動プログラム。
【請求項１８】
前記制御部に、前記通常駆動回路と前記共振回路との接続を、前記検査駆動回路と前記共振回路との接続に切り替えることにより、前記通常駆動回路の駆動を停止させるステップを実行させる請求項１６又は請求項１７に記載の誘導加熱方式画像定着装置駆動プログラム。
【請求項１９】
前記制御部に、前記対応関係の相違に基づいて、前記テーブルの対応関係を補正するためのパラメータを算出するステップを実行させる請求項１６又は請求項１７に記載の誘導加熱方式画像定着装置駆動プログラム。
【発明の詳細な説明】
【技術分野】
【０００１】
本発明は、ＩＨコイルを有する共振回路を備える誘導加熱装置に関し、特に共振回路を駆動する駆動回路の保護が図られた誘導加熱装置に関する。
【背景技術】
【０００２】
プリンタ装置（画像定着装置）における画像を定着させるための電磁誘導方式の定着装置には、インバータ制御方式が用いられている。このようなインバータ制御における共振は、定着装置全体としての抵抗特性(System Rs(Ω)値)と、コイルのインダクタンス特性(L(H)値)と、コンデンサ特性(C(F)値)と、によってその動作特性が決まることとなる。
共振回路の駆動においては、共振周波数での駆動が最も高効率であるが、各素子の特性値は一定ではない（例えば、破損・環境温度異常・経年劣化等により、各素子の特性値が変動する）ため、共振周波数も一定ではない。
【０００３】
駆動周波数が、共振周波数より低い周波数となってしまうと、回路に過電流が流れ、これにより回路を破損させてしまうおそれがあるため、駆動周波数を共振周波数より高いところに設定して駆動させるのが一般的であるが、前述のごとく共振周波数は一定ではなく、これを正確に把握することは困難であるため、共振周波数が何らかの原因で大きく上昇してしまうと、相対的に共振周波数より低い周波数で駆動してしまう結果となり、回路に過電流が流れてしまうおそれがある。
【０００４】
このような問題に関連した技術が、特許文献１〜特許文献３等によって開示されている。
【先行技術文献】
【特許文献】
【０００５】
【特許文献１】特開平０３−１９００８２号公報
【特許文献２】特開２００８−０５３０７０号公報
【特許文献３】特開２００８−１９７４７５号公報
【発明の概要】
【発明が解決しようとする課題】
【０００６】
上記各特許文献には、装置の起動時において、共振周波数より高い周波数で駆動を開始させることで、装置の起動時に回路に過電流が流れることを抑止すること等が記載されている。
これによれば、装置の起動時において、共振周波数より低い周波数で駆動してしまうことが抑止され、従って、過電流による回路の破壊が抑止されるものである。
しかしながら、予め設定されていると考えられる「共振周波数より高い周波数」につき、前述のごとく共振周波数を正確に把握することは困難であるため、必ず「共振周波数より高い」ものであるとの保証はない（従って、回路に過電流が流れる危険性は依然として残っているものであった）。即ち、例えば素子の破損等による素子特性の大きな変動により想定外の周波数の不適合が生じたような場合には、回路に過電流が流れることを抑止することが難しいものであった。また、電源異常等が生じたような場合に対しては、回路に過電流が流れることを抑止することは難しいものであった。
【０００７】
本発明は、上記の点に鑑み、共振回路を駆動する回路に対して過電流が流れてしまうことをより効果的に抑止することが可能な誘導加熱方式画像定着装置を提供することを目的とする。
【課題を解決するための手段】
【０００８】
（構成１）
共振回路と、前記共振回路を駆動する駆動回路と、前記駆動回路を、装置の通常駆動であるモードＡと、前記駆動回路に流れる電流の大きさが制限されている装置異常検出用のモードＢにて駆動させる制御部と、前記モードＢにおいて装置に異常がないか検出する検出部と、を備える誘導加熱方式画像定着装置。
【０００９】
（構成２）
前記モードＢによる駆動時に前記検出部によって異常が検出されなかった場合に、前記モードＡによる通常駆動への移行を行う構成１に記載の誘導加熱方式画像定着装置。
【００１０】
（構成３）
前記駆動回路が、前記モードＡ駆動を行う通常駆動回路と、検査駆動周波数での前記共振回路の駆動によって前記モードＢ駆動を行う検査駆動回路とを備える、構成１又は構成２に記載の誘導加熱方式画像定着装置。
【００１１】
（構成４）
前記共振回路に前記通常駆動回路と前記検査駆動回路の何れかを選択的に接続させる切替部と、前記検出部たる電力測定部と、を備え、前記制御部によって前記切替部を制御することにより、前記モードＢ駆動時において前記検査駆動回路を前記共振回路に接続させ、前記電力測定部から得られる測定値に基づく値が所定範囲内である場合に、前記検査駆動回路に替えて前記通常駆動回路を前記共振回路に接続して前記モードＡ駆動させる、構成３に記載の誘導加熱方式画像定着装置。
【００１２】
（構成５）
前記検査駆動周波数が、所定周波数より高周波数の領域における周波数である、構成３に記載の誘導加熱方式画像定着装置。
【００１３】
（構成６）
前記検査駆動回路による駆動時に、少なくも２つの異なる検査駆動周波数による駆動を行い、これら検査駆動周波数と、それぞれの検査駆動周波数における前記電力測定部からの測定値と、に基づいて電力−駆動周波数の関数における傾きを算出し、当該傾きに基づいて電力値と駆動周波数の間における関連特性を推定する、構成５に記載の誘導加熱方式画像定着装置。
【００１４】
（構成７）
前記モードＢ駆動が、装置の立ち上げ時において実行される、構成１又は構成２に記載の誘導加熱方式画像定着装置。
【００１５】
（構成８）
電力測定部と、設定駆動周波数とこれに対応する設定電力値とが格納されたテーブルと、を備え、前記モードＡ駆動において、前記制御部から前記駆動回路へ与えた駆動周波数と、前記電力測定部によって検出した電力値と、の対応関係が、前記テーブルの設定駆動周波数と、設定電力値と、の対応関係から所定以上相違している場合に、前記モードＡ駆動を停止させる構成１又は構成２に記載の誘導加熱方式画像定着装置。
【００１６】
（構成９）
前記モードＢへの切り替えにより、前記モードＡ駆動を停止させる構成８に記載の誘導加熱方式画像定着装置。
【００１７】
（構成１０）
前記共振回路に流れる駆動電流の位相を検出する電流位相検出部を備え、前記モードＡ駆動時において前記電流位相検出部によって検出される駆動電流の位相に基づいて、前記モードＡ駆動を停止させる構成１又は構成２に記載の誘導加熱方式画像定着装置。
【００１８】
（構成１１）
前記モードＢへの切り替えにより、前記モードＡ駆動を停止させる構成１０に記載の誘導加熱方式画像定着装置。
【００１９】
（構成１２）
駆動電流の位相に基づく設定位相値と設定駆動周波数が対応付けられたテーブルを備え、
前記モードＡ駆動において、前記制御部から前記駆動回路へ与えた駆動周波数と、前記検出した駆動電流の位相に基づく値と、の対応関係が、前記テーブルの設定位相値と、設定駆動周波数と、の対応関係から所定以上相違している場合に、前記モードＡ駆動を停止させる構成１０に記載の誘導加熱方式画像定着装置。
【００２０】
（構成１３）
前記対応関係に相違があった場合に、当該相違に基づいて、前記テーブルの対応関係を補正するためのパラメータを算出する補正係数算出部を備える、構成８に記載の誘導加熱方式画像定着装置。
【００２１】
（構成１４）
前記駆動電流の位相の測定において、前記駆動電流を前記制御部のクロックに基づく周期で測定する、構成１０に記載の誘導加熱方式画像定着装置。
【００２２】
（構成１５）
前記検査駆動回路は、前記通常駆動回路よりも低レベルの電源ラインから電源供給を受ける、構成３に記載の誘導加熱方式画像定着装置。
【００２３】
（構成１６）
前記通常駆動回路がスイッチング素子とゲートドライバを備え、前記検査駆動回路が発振回路を備える、構成３に記載の誘導加熱方式画像定着装置。
【００２４】
（構成１７）
共振回路と、前記共振回路を駆動周波数にて駆動する通常駆動回路と、前記共振回路を検査駆動周波数にて駆動する検査駆動回路と、電力測定部と、制御部と、記憶部と、を備える誘導加熱方式画像定着装置における前記制御部に、装置の立ち上げ時において前記検査駆動回路を前記共振回路に接続させるステップと、当該検査駆動回路による駆動時における前記電力測定部からの測定値を取得し、これが所定範囲外であるか否かを判別するステップと、当該取得した測定値が所定範囲内である場合に、前記検査駆動回路に替えて前記通常駆動回路を前記共振回路に接続させるステップと、を実行させる誘導加熱方式画像定着装置駆動プログラム。
【００２５】
（構成１８）
前記検査駆動回路による駆動時に、共振周波数より高い第１の駆動周波数による駆動を行い、前記電力測定手段からの第１の測定値を取得するステップと、共振周波数より高い第２の駆動周波数による駆動を行い、前記電力測定手段からの第２の測定値を取得するステップと、第１及び第２の駆動周波数、並びに第１及び第２の測定値に基づいて電力−駆動周波数の関数における傾きを算出するステップと、当該算出された傾きに基づいて前記測定値が所定範囲内であるか否かを判別するステップと、を実行させる構成１７に記載の誘導加熱方式画像定着装置駆動プログラム。
【００２６】
（構成１９）
前記記憶部に、設定駆動周波数とこれに対応する設定電力値とが格納されたテーブルと、異常判断条件と、が記憶されており、前記通常駆動回路を前記共振回路に接続させた駆動状態において、前記制御部から前記通常駆動回路へ与えた駆動周波数と、前記電力測定部によって検出した電力値と、を取得するステップと、当該取得した駆動周波数と電力値との対応関係と、前記テーブルの設定駆動周波数と設定電力値との対応関係との間の相違が、前記異常判断条件に該当するか否かを判別するステップと、前記異常判断条件に該当している場合に、前記通常駆動回路の駆動を停止させるステップと、を実行させる構成１７に記載の誘導加熱方式画像定着装置駆動プログラム。
【００２７】
（構成２０）
前記誘導加熱方式画像定着装置が、前記共振回路に流れる駆動電流の位相を検出する電流位相検出部を備え、前記記憶部に、駆動電流の位相に基づく設定位相値と設定駆動周波数が対応付けられたテーブルと、異常判断条件と、が記憶されており、前記通常駆動回路を前記共振回路に接続させた駆動状態において、前記制御部から前記通常駆動回路へ与えた駆動周波数と、前記電流位相検出部によって検出した駆動電流の位相と、を取得するステップと、当該取得した駆動周波数と駆動電流の位相との対応関係と、前記テーブルの設定駆動周波数と設定位相値との対応関係の相違が、前記異常判断条件に該当するか否かを判別するステップと、前記異常判断条件に該当している場合に、前記通常駆動回路の駆動を停止させるステップと、を実行させる構成１７に記載の誘導加熱方式画像定着装置駆動プログラム。
【００２８】
（構成２１）
前記通常駆動回路と前記共振回路との接続を、前記検査駆動回路と前記共振回路との接続に切り替えることにより、前記通常駆動回路の駆動を停止させるステップを実行させる構成１９又は構成２０に記載の誘導加熱方式画像定着装置駆動プログラム。
【００２９】
（構成２２）
前記対応関係の相違に基づいて、前記テーブルの対応関係を補正するためのパラメータを算出するステップを実行させる構成１９又は構成２０に記載の誘導加熱方式画像定着装置駆動プログラム。
【発明の効果】
【００３０】
本発明の誘導加熱方式画像定着装置又は誘導加熱方式画像定着装置駆動プログラムによれば、駆動回路に流れる電流の大きさが制限されるモードＢ（又は検査駆動回路による駆動処理）を備えていることにより、例えばコイル破損その他による素子特性の変動よる駆動回路への大電流の流れこみや、電源異常による駆動回路への大電流の流れこみをより効果的に抑止することができ、回路部の破損や発熱、発火、発煙といった問題の発生を抑止することができる。
【００３１】
また、本発明の誘導加熱方式画像定着装置又は誘導加熱方式画像定着装置駆動プログラムによれば、電流位相値（駆動電圧との位相差）に基づいて装置の健全性を判断することにより、より正確に駆動周波数が共振周波数にどの程度近づいているかを判別することが可能であり、これによって共振周波数以下での駆動を抑止することができる。
【図面の簡単な説明】
【００３２】
【図１】本発明に係る実施形態１の誘導加熱方式画像定着装置の構成の概略を示すブロック図
【図２】駆動周波数と電力との関係が設定されたテーブルの一例を示す図
【図３】駆動周波数と電力との関係を説明するためのグラフ
【図４】本発明に係る実施形態１の誘導加熱方式画像定着装置の駆動処理の概略を示すフローチャート
【図５】モードＢの駆動処理の概略を示すフローチャート
【図６】電源電圧変動の影響を説明するためのグラフ
【図７】本発明に係る実施形態１の誘導加熱方式画像定着装置の構成の概略を示すブロック図
【図８】電流位相と駆動周波数との関係が設定されたテーブルの一例を示す図
【図９】電流位相と駆動周波数との関係を説明するためのグラフ
【図１０】本発明に係る実施形態２の誘導加熱方式画像定着装置を駆動処理の概略を示すフローチャート
【図１１】駆動処理の他の一例の概略を示すフローチャート
【発明を実施するための形態】
【００３３】
以下、本発明の実施態様について、図面を参照しながら具体的に説明する。なお、以下の実施態様は、本発明を具体化する際の一形態であって、本発明をその範囲内に限定するものではない。
【００３４】
＜実施形態１＞
図１は、本実施形態の誘導加熱方式画像定着装置の構成（主に本発明に関する部分）の概略を示すブロック図である。  本実施形態の誘導加熱方式画像定着装置１は、例えばレーザープリンタに備えられる定着装置であり、印刷時において紙にトナーを定着させるためのものである。より具体的には、誘導加熱方式画像定着装置１は、インバータ制御方式により共振回路を共振させることで、共振回路の一部をなすＩＨコイルに高周波電流を流して高周波磁界を発生させ、これにより定着ローラー（の金属発熱層）を発熱させて、当該熱とローラーによる圧力によって、紙にトナーを定着させるものである。
【００３５】
誘導加熱方式画像定着装置１は、制御部たるマイコン１０と、通常駆動回路２０と、検査駆動回路３０と、商用電源２からの装置への電源供給をオン・オフするリレー回路４０と、電流検出部５０と、電圧検出部６０と、定着ローラー９０と、ＬＣ直列共振回路を構成する共振コンデンサ１５と及びＩＨコイル１６と、通常駆動回路２０と検査駆動回路３０とを切り替える切替ＳＷ１４と、等を備える。また、商用電源２からの電流の整流・平滑や、ノイズ除去（ＬＰＦ）のために、ダイオードブリッジ１１、コイル１２、コンデンサ１３等を備える。
【００３６】
通常駆動回路２０と検査駆動回路３０は、何れも共振回路（共振コンデンサ１５、ＩＨコイル１６）を共振させる駆動回路であるが、通常駆動回路は定着装置としての通常駆動（トナーを紙に定着させるための駆動処理：本明細書ではモードＡ駆動という）を行う際に用いられる回路であり、検査駆動回路３０は、共振回路等に異常が無いかを検査するために用いられる回路である（検査用の駆動を本明細書ではモードＢ駆動という）。
【００３７】
通常駆動回路２０は、本実施形態ではゲートドライバＩＣ２１と、スイッチング素子（ＩＧＢＴ）２２とによって構成され、マイコン１０からの制御指示に基づいてゲートドライバＩＣ２１がスイッチング素２２をスイッチングすることにより、共振回路を共振させる（駆動周波数にてモードＡ駆動する）ものである。  即ち、誘導加熱回路として所定のパワー（例えば１０００（Ｗ）以上）が得られるように電源供給が行われるものであり、スイッチング素子２２には前記整流・平滑回路を経て商用電源から、例えば１００〜２００Ｖといった電圧が印加され、数アンペアの電流が流れることとなる。
【００３８】
検査駆動回路３０は、本実施形態では汎用オペアンプとコンデンサおよび抵抗で構成される発振回路であり、マイコン１０からの制御指示（検査駆動周波数とピーク値）に基づいて、共振回路を共振させる（検査駆動周波数にてモードＢ駆動する）ものである。通常駆動回路２０が通常駆動（トナーを紙に定着させるための駆動）として使用されるのに対し、後に詳述するように、検査駆動回路３０は、駆動周波数の範囲内の所定値より高い周波数の検査駆動周波数にて、検査駆動を行うものであり、電源供給も通常駆動回路２０とは別のライン（図示せず）から供給を受けるものである。検査駆動回路３０への電源供給は数ボルト程度（例えば３〜５Ｖ）の電源ラインによって行われ、前述のごとく１００〜２００Ｖといった電圧が印加される通常駆動回路２０よりも低レベルの電源ラインからの電源供給を受けるものである。これによりモードＢ駆動時においては、回路に流れる電流の大きさが制限されている（電源供給は数ボルト程度であるため過大な電流は流れない）。
【００３９】
通常駆動回路２０と検査駆動回路３０は、切替ＳＷ１４によって択一的に共振回路（共振コンデンサ１５、ＩＨコイル１６）に接続されるものである。当該切替えは、切替ＳＷ１４がマイコン１０からの制御指示を受けることによって行われる。
【００４０】
電流検出部５０と電圧検出部６０は、電力値を測定するために使用され（電流値と電圧値を取得）、マイコン１０と共に電力測定部を構成するものである。本実施形態においては、図１に示されるように、回路全体としての電力値を取得するという思想から商用電源２が接続されるラインにおいて電流を検知し、共振回路への電源供給ライン（モードＡにおける電源供給するライン）において電圧を検知している。
なお、図示では簡略化しているが、モードＢにおける電源供給ラインにおいても電流及び電圧の検知をしており（モードＢ用の電流検出部と電圧検出部を備えており）、図１に示されるように、モードＢ用の電流・電圧検出は、ＩＨコイル１６の両端において行っている。本実施形態においては、前述のごとくモードＡ（通常駆動回路２０）とモードＢ（検査駆動回路３０）とでは電源ラインを異にしているため、それぞれに対して電力値（電流及び電圧）を測定する手段を設けているものである。前述のごとく検査駆動回路３０への電源供給ラインの電圧は数ボルト程度（例えば３〜５Ｖ）に調整されたものであるため、レギュレーション値として所定の電圧値を使用するような（即ち、電圧の実測はしない）ものであってもよい。
【００４１】
マイコン１０に備えられる（若しくは別回路として設けられる）記憶部には、図２に例示したような電力値と駆動周波数とが対応付けられたテーブルが設定されている。  当該テーブルは、図３や図６に示したような電力値と駆動周波数との関係グラフ（誘導加熱方式画像定着装置１の設計に基づいて決定されるグラフ）に基づいて予め設定されているものである。即ち、誘導加熱方式画像定着装置１において、ある駆動周波数にて駆動した場合に期待される（出力されるべき）パワーが対応付けられて格納されたテーブルが、電力−駆動周波数テーブル１０１である。
【００４２】
図３には、本実施形態の誘導加熱方式画像定着装置１における、通常駆動回路２０による駆動範囲（モードＡの駆動周波数の範囲）と、検査駆動回路３０による駆動範囲（モードＢの駆動周波数の範囲）を示している。  前述のごとくモードＢにおける検査駆動周波数ｆ１とｆ２は、駆動周波数の範囲内において、所定の値より高い所に設定される。本実施形態においては、共振周波数であるｆ０が３４．１（ＫＨｚ）であり、ｆ１は７５（ＫＨｚ）、ｆ２は７０（ＫＨｚ）であるものを例としている。
【００４３】
次に図４を参照しつつ、本実施形態の誘導加熱方式画像定着装置１における駆動処理について（特に、モードＢ駆動に関して）説明する。
なお、以下の説明において処理主体を省略して説明しているが、各処理動作は基本的にマイコン１０によって行われるものである。  より具体的には、マイコン１０に備えられるメモリ（記憶部）からの必要な情報の取得や書き込み、各入出力ポートから得られる情報の監視・取得や送出を行い、これらの情報に基づいて各種の演算処理を行い、当該演算結果に基づく等して、必要な情報の保存や各部（通常駆動回路２０、検査駆動回路３０、切替ＳＷ１４等）への制御信号の送信を行うものである（これらの処理がメモリに記憶されているプログラムに基づいて実行されるものである）。
【００４４】
プリンタ本体の全体制御側から、プリントジョブスタートの要求があった場合に、当該ジョブ要求に含まれる目標電力値を取得する（ステップ４０１）。
続くステップ４０２では、装置の立ち上げ時であるか否かを判別する。「装置の立ち上げ時」とは、電源投入時（或いはそれから一定期間）や、スタンバイ状態からの復帰時（或いはそれから一定期間）等を指す。
【００４５】
ステップ４０２の判別の結果、装置の立ち上げ時である場合にはステップ４０３へ、装置の立ち上げ時でなかった場合にはステップ４０６へと移行する。
【００４６】
装置の立ち上げ時であった場合には、切替ＳＷ１４に対して、検査駆動回路３０を接続するように制御する（ステップ４０３）。  これにより、通常駆動回路２０は共振回路に対して物理的に切断され（１００〜２００Ｖレベルの電源ラインから切断され）、検査駆動回路３０の数ボルトのラインのみが接続されるため、何らかの異常（例えば、ＩＨコイル１６部分の短絡など）があったとしても、回路に過電流が流れることはない（スイッチング素子２２が含まれる回路はオープンであるため、スイッチング素子に過電流が流れることはない）。
【００４７】
続くステップ４０４では、モードＢ駆動処理が行われる。
【００４８】
図５はステップ４０４におけるモードＢ駆動処理の概略を示すフローチャートである。同図を参照しつつモードＢ駆動処理について説明する。
【００４９】
ステップ５０１では、検査駆動回路３０によって検査駆動周波数ｆ１（７５（ＫＨｚ））にて加振させ、続くステップ５０２において検査駆動周波数ｆ１における電力値Ｐ１を取得する（前述のごとくモードＢにおける電流・電圧の取得手段から得られた電流値と電圧値に基づいて電力値を算出するものである）。
【００５０】
ステップ５０３では、検査駆動回路３０によって検査駆動周波数ｆ２（７０（ＫＨｚ））にて加振させ、続くステップ５０４において検査駆動周波数ｆ２における電力値Ｐ２を取得する（ステップ５０１〜５０２と同様の処理）。
【００５１】
ステップ５０５では、ステップ５０１〜５０２で取得したｆ１とＰ１、ステップ５０３〜５０４で取得したｆ２とＰ２に基づいて、電力−駆動周波数の関数における傾きを算出する。
本実施形態においては、図３や図６に示した電力−駆動周波数の関係特性グラフにおける傾きに近似する値を求めるものであり、同グラフにおける（ｆ１、Ｐ１）、（ｆ２、Ｐ２）の２点を通る直線の傾きを算出するものである。
【００５２】
続くステップ５０６では、ステップ５０５で求めた値が正常範囲であるか否かを判別する。正常範囲（即ち異常判断条件）については、予め設定されている（固定若しくは任意に設定変更可能なパラメータとして設定されている）ものであり、例えば、電力−駆動周波数の関係特性グラフにおけるｆ１（７５（ＫＨｚ））とｆ２（７０（ＫＨｚ））に対応するＰ１とＰ２（本実施形態では、１２０（Ｗ）と１７０（Ｗ））によって得られる傾きの値（−１０）に対して所定量以上の相違がある場合には、正常範囲外と判断するものである。
【００５３】
ステップ５０６の判別の結果、正常範囲である場合には「ＯＫ」を返り値とし、正常範囲に無い場合は「ＮＧ」を返り値とする。
【００５４】
図４に戻って説明を続ける。
【００５５】
ステップ４０４（図５の処理）の後のステップ４０５では、返り値が「ＯＫ」か「ＮＧ」かを判別し、ＯＫの場合にはステップ４０６へ、ＮＧの場合にはステップ４１２へとそれぞれ移行する。
【００５６】
モードＢの処理結果がＮＧであった場合には、直ちに駆動（発振回路への出力）を停止し（ステップ４１２）、エラー処理（ステップ４１３）を行った上で処理を終了する。  駆動停止命令は、検査駆動回路３０への発振停止指示の他、リレー回路４０（若しくは切替ＳＷ１４）に対するオープン指示等であってもよい。  エラー処理においては、装置のステータス情報（エラー時の、ｆ１及びｆ２の周波数(KHz)、取得電流値(mA)と電圧値(V)、環境温度(℃)等）をログするなどの処理が行われ、後の解析などにおいて役立てられる。
【００５７】
モードＢの処理結果がＯＫであった場合は、切替ＳＷ１４に対して、通常駆動回路２０を接続するように制御し（ステップ４０６）、モードＡ駆動を開始する（ステップ４０７）。なお、モードＡ駆動自体は、基本的に従来の通常駆動であり、ステップ４０１で取得した目標電力値に対応する駆動周波数（電力−駆動周波数テーブル１０１から取得）にて駆動させるものである。
【００５８】
モードＡ駆動中においても、電力値（電流検出部５０と電圧検出部６０による電流と電圧）を測定し（ステップ４０８）、この測定結果としての電力値と、与えている駆動周波数に対応する電力の期待値（電力−駆動周波数テーブル１０１から得られる、駆動周波数に対応する電力値）と、を比較し、これが所定範囲内（固定若しくは任意に設定変更可能なパラメータとして予め設定されている）に該当するか否かを判別している（ステップ４０９）。
【００５９】
モードＡ駆動中の電力値が正常範囲でないと判断された場合には、ステップ４１２へと移行し、直ちに駆動（発振回路への出力）を停止し、エラー処理（ステップ４１３）を行った上で処理を終了する。  前述と同様に、駆動停止命令は、通常駆動回路２０への駆動停止指示の他、リレー回路４０（若しくは切替ＳＷ１４）に対するオープン指示等であってもよい。  エラー処理においては、装置のステータス情報（エラー時の、駆動周波数(KHz)、取得電流値(mA)と電圧値(V)、環境温度(℃)等）をログするなどの処理が行われ、後の解析などにおいて役立てられる。
【００６０】
モードＡ駆動中の電力値が正常範囲である場合には、ステップ４１０にてプリントジョブの終了か否かを判別し、終了に至っていない場合にはステップ４０７に戻ってモードＡ駆動（及び電力監視に基づく異常判断処理）を続行し、プリントジョブが終了した場合には、ステップ４１１へと移行して終了処理（通常駆動回路２０の駆動停止や、各種データのログ若しくはプリンタ本体の全体制御側への戻り値の設定など）を行って処理を終了する。
【００６１】
以上説明したごとく、本実施形態の誘導加熱方式画像定着装置１によれば、装置の立ち上げ時においてモードＢによる検査駆動処理が実行されるため、共振回路を駆動する回路（スイッチング素子２２等）に対して過電流が流れてしまうことをより効果的に抑止することが可能となる。
先に述べたごとく、駆動周波数を共振周波数より高いところに設定して駆動させるのが一般的であるが、例えば回路に何らかの異常があるような状況においては、共振周波数がどこにあるのか不明であり、「共振周波数より高い周波数」にて駆動させたつもりであっても、実際には共振周波数より低い周波数にて駆動してしまうおそれがあり、共振周波数より低い周波数にて駆動してしまうと、回路に過電流が流れ、これにより回路を破損させてしまうおそれがあったが、本実施形態の誘導加熱方式画像定着装置１によれば、最初に（装置の立ち上げ時に）そもそも過電流が流れ得ない検査駆動回路３０にて検査駆動（モードＢ）を行うため、万が一、ｆ１やｆ２が共振周波数より低いものであったとしても、回路の破損が生じることを効果的に抑止できるものである。  特にスイッチング素子２２等の通常駆動回路２０はモードＢでは回路的にオープンになっているため、確実に過電流が流れることを防止することが可能になり、破損からの保護をすることができる。
【００６２】
「回路に何らかの異常」の具体例としては、破損・環境温度異常・経年劣化等により定着装置全体としての抵抗特性、コイルのインダクタンス特性、コンデンサ特性の何れか若しくは複数が変動してしまうことが挙げられる。
また、装置自体には異常がなくとも、電源供給側（商用電源２）に異常があるような場合にも、回路に過電流が流れるおそれがある。
図６には、電源の変動があった場合（１８０Ｖ、２３０Ｖ、２８０Ｖ）の比較グラフを例示した。同図に示されるように、例えば、駆動周波数が５０（ＫＨｚ）である場合において、電源電圧が１８０Ｖ、２３０Ｖ、２８０Ｖと変動すると、パワーも４２０（Ｗ）、７１０（Ｗ）、１０４２（Ｗ）と大きく変動することがわかり、この変動要因だけでも容易に素子への制御電流値が可変し、危険な状態が生じ得ることが理解できる。
本実施形態の誘導加熱方式画像定着装置１によれば、このような電源側の変動があった場合においても、過電流が流れ得ない検査駆動回路３０にて検査駆動（モードＢ）を行うため、回路の破損が生じることを効果的に抑止できる。
【００６３】
本実施形態のモードＢでは、上述のごとく、電力−駆動周波数の関係特性における傾きを算出し、これに基づいて正常／異常を判別している。  図３から理解されるように、共振周波数ｆ０に近づくにつれて傾きが大きくなるもの（負の大きな値）であり、実測値に基づく傾きが、期待値の傾きよりも大きな値である場合には、これが危険な状態に向いていることを容易に判断（装置の現状における実際の関係特性を推定）できるものである。
【００６４】
なお、本実施形態においては、モードＢの電力−駆動周波数の関係特性の推定として、検査駆動周波数２点（ｆ１とｆ２）の電力値を実測して、この２点間の直線の傾きを求めるものを例としたが、本発明をこれに限るものではなく、更に多数の検査駆動周波数にて電力値を測定し、より詳細な電力−駆動周波数の関係特性を取得するものであってもよい。  逆に、検査駆動周波数を１つのみとし、その時に得られる電力値が、期待値（電力−駆動周波数テーブル１０１から得られる、検査駆動周波数に対応する電力値）に対して所定範囲外である場合には異常と判断（例えば、テーブルの値との差がｎ％（例えば１５％）以上や、絶対値としてのパワーの上限を超えるような場合に異常と判断）するようなもの（上記モードＡにおける異常判断と同様のもの）であってもよい。
【００６５】
本実施形態では、プリントジョブ要求があった際に装置の立ち上げ時であるか否かを判別し、モードＢ駆動が実行されるものを例として説明したが、プリントジョブ要求とは無関係に装置の立ち上げ時にモードＢ駆動を実行するようなものであってもよい。また、プリントジョブ要求があった際に、装置の立ち上げ時であるか否かとは無関係にモードＢ駆動を実行するようなもの（例えば、印刷処理をしていない状態の際に適時モードＢでの検査駆動を行うもの等）であってもよい。
【００６６】
本実施形態では、モードＢ駆動の直前に、切替ＳＷ１４によって共振回路と検査駆動回路３０を接続するものを例として説明しているが、デフォルトとして共振回路と検査駆動回路３０を接続状態とすることで、モードＢ駆動の直前の切替えを不要とするものであってもよい（例えば、立ち上げ処理時などにおいて共振回路と検査駆動回路３０を接続する処理とし、ステップ４０３の処理を不要とする等）。これにより、装置をより安全側の状態におくことができる。
【００６７】
本実施形態では、通常駆動回路２０と検査駆動回路３０とを設け、それぞれが共振回路に対して発振できるようなものを例としているが、発振（スイッチング）手段としては共通とし（例えば、ゲートドライバ２１とスイッチング素子２２のみとし）、これに対する
電源供給ラインの切り替えを可能とする構成としてもよい。  即ち、１００〜２００Ｖといった電圧が印加される通常駆動用の電源ラインと、３〜５Ｖ程度しか印加されない検査駆動用の電源ラインとの何れかを選択的に駆動回路（ゲートドライバ２１とスイッチング素子２２）に接続させるものとし、検査駆動回路３０を不要とするものであってもよい（なお、この場合においても、検査駆動用の電源ラインが接続された状態の通常駆動回路２０（ゲートドライバ２１とスイッチング素子２２）を、“検査駆動回路３０”と解釈できるものであり、概念としての相違はない）。
【００６８】
なお、説明としては通常駆動回路２０と検査駆動回路３０を分けて説明しているが、通常駆動回路２０と検査駆動回路３０がハードとして別である（例えば個別のＩＣにて構成される）ことに限定しているものではなく、例えば１つのＩＣにおいて通常駆動回路２０と検査駆動回路３０が内在しているようなものであっても当然よい。
【００６９】
＜実施形態２＞
図７は、実施形態２の誘導加熱方式画像定着装置の構成（主に本発明に関する部分）の概略を示すブロック図である。  実施形態１（図１）と同様の構成については同一の符号を使用し、ここでの説明を省略若しくは簡略化する。
【００７０】
図７に示されるように、実施形態２の誘導加熱方式画像定着装置１’は、電流位相検出部７０を追加している点において実施形態１と異なる。
電流位相検出部７０は、共振回路に流れる駆動電流の位相（駆動電圧に対する位相差）を検出する（検出電流値をI-V変換して、その信号位相とZero Crossとの位相を比較する事により位相差を検出する機能を有する）ものであり、取得した電流位相情報は、マイコン１０の時間測定用端子において測定される。  当該構成により、本実施形態の誘導加熱方式画像定着装置１’は、マイコン１０のクロック周波数に基づく周期にて、電流位相情報を測定するものである。
【００７１】
また、マイコン１０に備えられる（若しくは別回路として設けられる）記憶部には、図８に例示したような電流位相値と駆動周波数とが対応付けられたテーブルが設定されている点でも実施形態１と異なる（なお、実施形態１と同様に電力−駆動周波数テーブル１０１も備えている）。  当該電流位相値−駆動周波数テーブル１０２は、図９に示したような電流位相値（駆動電圧に対する位相差）と駆動周波数との関係グラフ（誘導加熱方式画像定着装置１’の設計に基づいて決定されるグラフ）に基づいて予め設定されているものである。
【００７２】
図９は、誘導加熱方式画像定着装置１’における駆動周波数(KHz)と駆動時の電流位相(°)とシステムインピーダンス(Ohm)の関係特性を示すグラフである。  電流共振方式である誘導加熱方式画像定着装置１’においては、同図のような関係特性となるものである。  本実施形態においては、駆動周波数32.68（ＫＨｚ）付近で電流位相0を示す特性のものを例示している（即ち、共振周波数が32.68（ＫＨｚ）であるもの）。
【００７３】
次に図１０を参照しつつ、本実施形態の誘導加熱方式画像定着装置１’における駆動処理について説明する。  実施形態１（図４）と同様の処理概念となるものについては同一の符号を使用し、ここでの説明を省略若しくは簡略化する。
【００７４】
実施形態１（図４）と同様に、プリントジョブ要求があった際に、装置の立ち上げ時であればモードＢ駆動を実行し、これがＮＧであれば停止処理、ＯＫであればモードＡへと移行する（ステップ４０１〜４０７）。
【００７５】
ステップ４０７に続くステップ１００１では、電流位相検出部７０による電流位相値の検出を行い、当該測定した電流位相値が正常範囲であるか否かを判別する（ステップ１００２）。電流位相値が正常範囲であるか否かの条件（即ち、異常判断条件）は、予め設定されている（固定若しくは任意に設定変更可能なパラメータとして設定されている）ものであり、例えば、電流位相値−駆動周波数テーブル１０２における駆動周波数に対応する電流位相値と、実測した電流位相値の間の差異が所定以上（例えば±５°以上）である場合に異常と判断するものや、絶対値として実測した電流位相値が所定値以下（例えば１０°以下）となった場合に、異常と判断するもの等であって良い。本実施形態では双方の条件をアンド（論理積）でチェックするものを例とする。即ち、実測した電流位相値が１０°以下である場合には異常と判断し、且つ、１０°より大きくとも、電流位相値−駆動周波数テーブル１０２における駆動周波数に対応する電流位相値との差異が±５°以上となった場合には異常と判断する。
【００７６】
ステップ１００２における判別の結果、これが異常であった場合には、ステップ４１２へと移行して駆動停止・エラー処理を行って処理を終了する。
一方、正常範囲であった場合には、ステップ４０８と４０９の電力値に基づく正常性の判断も行い、ここでも正常であると判断された場合にはステップ１００３へと移行する。
【００７７】
ステップ１００３では、各テーブル（電力−駆動周波数テーブル１０１、電流位相値−駆動周波数テーブル１０２）に設定されている値が、実測値と相違する場合において、実測値に基づいてテーブルの値を補正するためのパラメータを算出する処理が実行される。
当該処理はマイコン１０によって行われ、従って、本実施形態においてはマイコン１０が補正係数算出部を構成するものである（マイコンとは別に専用の回路を設けることにより補正係数算出部を構成するようなものであっても勿論構わない）。
【００７８】
本実施形態における補正パラメータの算出処理（ステップ１００３）の処理概念について説明する。
ステップ４０８の処理によって、駆動周波数に対する実際の電力値と、電力−駆動周波数テーブル１０１の設定値との間における差異が取得されることとなる。例えば、駆動周波数を４４．５（ＫＨｚ）で駆動している場合（この場合の期待値、即ち、テーブル上の設定値は７００（Ｗ））において、測定値が６８０（Ｗ）であった場合、ΔＰ＝２０（Ｗ）の補正が必要ということになる。  この場合、目標電力値である７００（Ｗ）＠４４．５（ＫＨｚ）に対し２０（Ｗ）不足している為、目標電力通りの駆動を行わせるためには駆動周波数を下げる必要がある。補正パラメータは、この「下げる分」（若しくは上げる分）に該当するパラメータとなる。
【００７９】
本実施形態における駆動周波数の補正は、電力−駆動周波数テーブル１０１から、目標電力値前後の値を取得して、単位電力値あたりの周波数分解能を算出し、これと実際のΔＰとＫｐ（周波数の補正ゲインを表し本実施形態では１．７５を設定(実験値により決定される)。）を掛け算した周波数を現駆動周波数に加算したものを補正後の駆動周波数とすることによって行われる。即ち、単位電力値あたりの周波数分解能とΔＰとＫｐの積が、電力−駆動周波数テーブル１０１の補正パラメータとして算出されるものである。
具体例としては、目標電力値である７００（Ｗ）＠４４．５（ＫＨｚ）に対し２０（Ｗ）不足している場合、電力−駆動周波数テーブル１０１から、目標電力値前後の値である、８００（Ｗ）＠４３．８（ＫＨｚ）のデータを取得し、これに基づいて単位電力値あたりの周波数分解能（近似値）を以下の式によって算出する。
[44.5(KHz)-43.8(KHz)]/[700(W)-800(W)]＝-0.007(KHz/W)
これによって得られた値（−０．００７（ＫＨｚ／Ｗ））に、ΔＰ（２０（Ｗ））とＫｐ（１．７５）を乗算して得られた値（−０．２５（ＫＨｚ））が、補正パラメータであり、これを使って電力−駆動周波数テーブル１０１の値を補正することとなる。
即ち、目標電力が７００（Ｗ）である場合、テーブル上は、４４．５（ＫＨｚ）が駆動周波数となるが、補正パラメータである−０．２５（ＫＨｚ）が加算され、駆動周波数を４４．２５（ＫＨｚ）として駆動させるものである。
【００８０】
上記説明のごとく、本実施形態では、
補正駆動周波数= {[(Y1-Y2)/(X1-X2)]*ΔP*Kp}+Y1
の計算式によって、駆動周波数を補正するものである。（Ｙ１，Ｘ１は駆動周波数とこれに対応する目標電力値、Ｙ２，Ｘ２はテーブル上のＹ１，Ｘ１に前後する値、ΔＰは実測した電力値と設定値（テーブル上の値）との差、Ｋｐは事前に実験的に決定される補正係数）
【００８１】
当該駆動周波数の補正は、電流位相値−駆動周波数テーブル１０２においても同様に使用される。即ち、例えば、図８において、駆動周波数４３．２１（ＫＨｚ）にて駆動している場合の位相値は５５°であるが、上記で算出された補正パラメータが例えば１．８（ＫＨｚ）程度であった場合、これが加算されて４５．０（ＫＨｚ）相当として扱われ、位相値としては６０°が取得され、これと実測値である位相値との差分を判別することとなる。
【００８２】
上記説明のごとく、ステップ１００３において駆動周波数の補正パラメータが算出され、以後これに基づいて補正された駆動周波数にて、各駆動処理が実行されることとなる（ステップ４０７〜ステップ４１０のループ処理において、随時補正パラメータの更新が行われ、これに基づいて補正駆動周波数が使用される）。
【００８３】
以上のごとく、本実施形態の誘導加熱方式画像定着装置１’によれば、モードＡ駆動中において、電流位相値（駆動電圧との位相差）に基づいて、装置の健全性を判断しており、より正確に共振周波数以下での駆動を防止することができる。
即ち、原理的に駆動周波数が共振周波数に近づくほど位相値（駆動電圧との位相差）は小さくなるものであり、現実の共振周波数がどうであるかに関わらず、位相値がゼロに近ければ共振周波数に近いことが判断できるものであり、位相値に基づいてどの程度共振周波数に近づいているかをより正確に判断することが可能であるため、これに基づいて共振周波数以下での駆動となってしまうことをより確実に抑止しているものである。
【００８４】
加えて、上記の電流位相値の検出をマイコンのクロックに基づく周期で行っているため、従来のゼロクロス信号同期(電源周波数)より高速な処理が可能であり、異常時においても非常に高い応答性をもって駆動停止処理等を実行することができ、この点でも回路の破損等の抑止効果が高められているものである。
【００８５】
また、初期設定されているテーブルに対して、随時補正を行う補正パラメータの算出処理が行われるため、その時点の装置の状態（製品誤差や、環境温度等の影響により設計値に対して変動している状態）に対してより適切な条件での駆動を行われることが可能となるものである。
【００８６】
なお、本実施形態においては、モードＡにおける電流位相値の検出に基づく異常判断がされた場合（ステップ１００２→Ｎｏ）や、電力値の検出に基づく異常判断がされた場合（ステップ４０９→Ｎｏ）において、駆動停止処理をして処理を終了するもの（ステップ４１２、４１３→ｅｎｄ）を例として説明しているが、図１１に例示したように、モードＡにおいて異常判断がされた場合にモードＢへと移行させるものであってもよい。モードＡでの異常検知に基づいて、モードＢにて検査駆動を行わせるものである（モードＢへの移行によりモードＡ駆動（即ち印刷）は停止。ただし、モードＢにて正常判断であった場合にはモードＡに復帰することとなる）。
【００８７】
また、本実施形態においては、補正パラメータの算出処理（ステップ１００３）を、モードＡにて行うものを例として説明しているが、これに限るものではなく、モードＢにおいて実行するものであってもよい。
即ち、モードＢにおいても検査駆動周波数での駆動と、電力値の計測を行っているものであり（図５：ステップ５０１〜ステップ５０４）、これを利用して、上記説明した補正パラメータの算出処理をモードＢで行うものであってよい。
これにより、モードＡに移行する前に補正パラメータを得ることができるため、モードＡの駆動当初から、より正確な駆動周波数（補正駆動周波数）にて駆動処理を実行させることが可能となるものである。
【００８８】
本実施形態においては、電流位相値の検出に基づく異常判断をモードＡにて行うものを例としているが、電流位相値の検出に基づく異常判断をモードＢで行うものであってもよい。この際に、モードＢにおいて、電力値に基づく異常判断及び電流位相値に基づく異常判断の双方を行うようにしても良いし、何れか一方を行うものであってもよい。
【符号の説明】
【００８９】
１．．．誘導加熱方式画像定着装置
１０．．．マイコン（制御部）
１４．．．切替ＳＷ（切替部）
１５．．．共振コンデンサ（共振回路）
１６．．．ＩＨコイル（共振回路）
２０．．．通常駆動回路
２１．．．ゲートドライバ
３０．．．検査駆動回路
５０．．．電流検出部（電力測定部）
６０．．．電圧検出部（電力測定部）
７０．．．電流位相検出部
【図１】
0006483399.tif 000002
【図２】
0006483399.tif 000003
【図３】
0006483399.tif 000004
【図４】
0006483399.tif 000005
【図５】
0006483399.tif 000006
【図６】
0006483399.tif 000007
【図７】
0006483399.tif 000008
【図８】
0006483399.tif 000009
【図９】
0006483399.tif 000010
【図１０】
0006483399.tif 000011
【図１１】
0006483399.tif 000012